(57)【要約】【課題】光ピックアップにおいて、ハーフミラー、パワー検出系フォトダイオードの温度依存特性に起因して生じるレーザダイオードのパワー変動を抑制する。【解決手段】レーザ光を分光するハーフミラー１３を加熱するためのミラー加熱用ヒータ２０と、レーザダイオード１１のパワーを検出するパワー検出系フォトダイオード１６を加熱するための受光素子加熱用ヒータ２１とを備える。レーザダイオード１１の発光開始前にヒータ２０，２１を動作させ、レーザダイオード１１の発光中に上昇する温度付近までヒータ２０，２１を予め温度上昇させ、レーザダイオード１１発光後のハーフミラー１３等の温度変化を小さくする。これにより、ハーフミラー１３等の温度依存特性に起因して生じるレーザダイオード１１のパワー変動を抑制する。【選択図】        図３
2004288334.tif 000002
【特許請求の範囲】
【請求項１】
光ディスクにデータを記録／再生するための光を出射する発光素子と、
この発光素子から出射された光を、光ディスクに向けて反射される反射光及びパワー検出系受光素子に向けて透過される透過光に分光するハーフミラーと、
このハーフミラーによって透過された透過光を受光することにより前記発光素子のパワーを検出するパワー検出系受光素子と、
前記ハーフミラーによって反射され、さらに光ディスクによって反射された反射光を受光して光ディスクに記録されたデータを再生する再生系受光素子とを備え、
前記パワー検出系受光素子が受光した透過光の強度に基づいて、前記発光素子のパワーをフィードバック制御する光ディスク装置の光ピックアップにおいて、
前記ハーフミラー及びパワー検出系受光素子をそれぞれ加熱するためのミラー加熱用及び受光素子加熱用ヒータと、
前記発光素子の発光開始前に前記ミラー加熱用ヒータ及び受光素子加熱用ヒータを動作させ、該発光素子の発光中に上昇する温度付近まで該ヒータを予め温度上昇させる通電制御手段とを備え、
前記ハーフミラー及びパワー検出系受光素子の温度依存特性に起因して生じる前記発光素子のパワー変動を抑制することを特徴とする光ディスク装置の光ピックアップ。
【請求項２】
光ディスクにデータを記録／再生するための光を出射する発光素子と、
この発光素子から出射された光を、光ディスクに向けて反射される反射光及びパワー検出系受光素子に向けて透過される透過光に分光するハーフミラーと、
このハーフミラーによって透過された透過光を受光することにより前記発光素子のパワーを検出するパワー検出系受光素子と、
前記ハーフミラーによって反射され、さらに光ディスクによって反射された反射光を受光して光ディスクに記録されたデータを再生する再生系受光素子とを備え、
前記パワー検出系受光素子が受光した透過光の強度に基づいて、前記発光素子のパワーをフィードバック制御する光ディスク装置の光ピックアップにおいて、
前記ハーフミラーを加熱するためのミラー加熱用ヒータと、
このミラー加熱用ヒータを動作させ、該ヒータを予め温度上昇させる通電制御手段とを備え、
前記ハーフミラーの温度依存特性に起因して生じる前記発光素子のパワー変動を抑制することを特徴とする光ディスク装置の光ピックアップ。
【請求項３】
前記通電制御手段は、前記発光素子の発光開始前に、前記ミラー加熱用ヒータを動作させ、該発光素子の発光中に上昇する温度付近まで該ヒータを予め温度上昇させることを特徴とする請求項２に記載の光ディスク装置の光ピックアップ。
【発明の詳細な説明】
【０００１】
【発明の属する技術分野】
本発明は、光ディスク装置の光ピックアップに関するものである。
【０００２】
【従来の技術】
従来から、光ディスク装置は、レーザダイオードから出射されたレーザ光をハーフミラーによって反射させて光ディスクに照射することにより、光ディスクにデータを記録するように構成されている。データ記録時に、光ディスクに照射されるレーザ光が強すぎると、光ディスクに記録される信号特性が悪化する。そこで、光ディスク装置は、レーザダイオードの発光パワーを検出するためのパワー検出系フォトダイオードをハーフミラーの裏面側に配置して、このフォトダイオードによりハーフミラーを透過したレーザ光を検出し、この検出したレーザ光の強度に基づいてレーザダイオードの発光パワーをフィードバック制御するように構成されている。
【０００３】
光ディスク装置の光源として適用されるレーザダイオードは、温度によって発光特性が変動する。そこで、レーザダイオードを加熱するための抵抗体をレーザダイオード近傍に備え、低温時の発光特性の改善を図った光ピックアップが知られている（例えば、特許文献１参照）。
【０００４】
【特許文献１】
特開２００１−１１１１６５号公報
【０００５】
【発明が解決しようとする課題】
一般に、光ピックアップに用いられるハーフミラー、パワー検出系フォトダイオードの温度は、レーザダイオードの発光前において低く、レーザダイオードの発光に伴って徐々に上昇する。このハーフミラーの透過特性及びパワー検出系フォトダイオードの受光特性は、温度によって変動する。すなわち、ハーフミラーは低温時に透過率が低下し、パワー検出系フォトダイオードは低温時に受光感度が低下する。従って、レーザダイオードの発光当初においてハーフミラー及びパワー検出系フォトダイオードが低温であるとき、パワー検出系フォトダイオードがレーザダイオードの制御用信号を正確に生成できなくなり、この信号に基づいてレーザダイオードのパワーをフィードバック制御すると、レーザダイオードのパワーが過大となって、光ディスクに記録される信号の特性が悪化する。つまり、ハーフミラー及びパワー検出系フォトダイオードの温度は、レーザダイオードの発光によって徐々に上昇するので、それまでの時間、レーザダイオードの発光パワーは、ハーフミラー等の温度依存特性の影響を受けて不安定となり、光ディスクに記録される信号の特性が悪化する。このような問題は、レーザダイオードを加熱する抵抗体を備えた上記特許文献１に示された光ピックアップによっても解決することができない。
【０００６】
本発明は、上述した問題点を解決するためになされたものであり、ハーフミラー及びパワー検出系フォトダイオードの温度依存特性に起因して生じるレーザダイオードのパワー変動を抑制して、レーザのパワー制御を正確に行うことができる光ピックアップを提供することを目的とする。
【０００７】
【課題を解決するための手段】
上記目的を達成するために請求項１の発明は、光ディスクにデータを記録／再生するための光を出射する発光素子と、この発光素子から出射された光を、光ディスクに向けて反射される反射光及びパワー検出系受光素子に向けて透過される透過光に分光するハーフミラーと、このハーフミラーによって透過された透過光を受光することにより発光素子のパワーを検出するパワー検出系受光素子と、ハーフミラーによって反射され、さらに光ディスクによって反射された反射光を受光して光ディスクに記録されたデータを再生する再生系受光素子とを備え、パワー検出系受光素子が受光した透過光の強度に基づいて、発光素子のパワーをフィードバック制御する光ディスク装置の光ピックアップにおいて、ハーフミラー及びパワー検出系受光素子をそれぞれ加熱するためのミラー加熱用及び受光素子加熱用ヒータと、発光素子の発光開始前にミラー加熱用ヒータ及び受光素子加熱用ヒータを動作させ、発光素子の発光中に上昇する温度付近まで該ヒータを予め温度上昇させる通電制御手段とを備え、ハーフミラー及びパワー検出系受光素子の温度依存特性に起因して生じる発光素子のパワー変動を抑制するものである。
【０００８】
この構成においては、光ディスクにデータを記録／再生する際、発光素子の発光前にミラー加熱用ヒータ及び受光素子加熱用ヒータを予め動作させ、その温度を発光素子の発光中に上昇する温度付近まで上昇させる。これによって、ハーフミラー及びパワー検出系受光素子が発光素子の発光中の温度付近まで予熱される。その結果、発光素子の発光開始から発光終了（データ記録終了）までのハーフミラー及びパワー検出系受光素子の温度変化が抑制され、ハーフミラー及びパワー検出系受光素子の温度依存特性に起因して生じる発光素子のパワー変動を抑制することができる。このミラー加熱用ヒータ及び受光素子加熱用ヒータによるハーフミラー及びパワー検出系受光素子の予熱は、発光素子の発光前になされるので、発光直後から発光素子のパワーが適正にフィードバック制御される。
【０００９】
請求項２の発明は、光ディスクにデータを記録／再生するための光を出射する発光素子と、この発光素子から出射された光を、光ディスクに向けて反射される反射光及びパワー検出系受光素子に向けて透過される透過光に分光するハーフミラーと、このハーフミラーによって透過された透過光を受光することにより発光素子のパワーを検出するパワー検出系受光素子と、ハーフミラーによって反射され、さらに光ディスクによって反射された反射光を受光して光ディスクに記録されたデータを再生する再生系受光素子とを備え、パワー検出系受光素子が受光した透過光の強度に基づいて、発光素子のパワーをフィードバック制御する光ディスク装置の光ピックアップにおいて、ハーフミラーを加熱するためのミラー加熱用ヒータと、このミラー加熱用ヒータを動作させ、ヒータを予め温度上昇させる通電制御手段とを備え、ハーフミラーの温度依存特性に起因して生じる発光素子のパワー変動を抑制するものである。
【００１０】
この構成においては、光ディスクにデータを記録／再生する際、ミラー加熱用ヒータを予め動作させ、その温度を発光素子の発光中に上昇する温度付近まで上昇させる。これによって、ハーフミラーが発光素子の発光中の温度付近まで予熱される。その結果、発光素子の発光開始から発光終了までのハーフミラーの温度変化が抑制され、ハーフミラーの温度依存特性に起因して生じる発光素子のパワー変動を抑制することができる。
【００１１】
請求項３の発明は、請求項２に記載の光ディスク装置の光ピックアップにおいて、通電制御手段は、発光素子の発光開始前にミラー加熱用ヒータを動作させ、発光素子の発光中に上昇する温度付近までヒータを予め温度上昇させるものである。この構成においては、ミラー加熱用ヒータによるハーフミラーの予熱は、発光素子の発光前になされるので、発光直後から発光素子のパワーが適正にフィードバック制御される。
【００１２】
【発明の実施の形態】
本発明の一実施形態による光ピックアップを備えた光ディスク装置について図面を参照して説明する。図１は光ディスク装置を示している。光ディスク装置１は、装填された光ディスクＤにデータを記録／再生する装置であり、光ディスクを保持するターンテーブル２と、ターンテーブル２を回転駆動するスピンドルモータ３と、回転駆動された光ディスクＤにレーザ光を照射して、その反射光を受光することによりデータを記録／再生する光ピックアップ４と、光ディスク装置の全体の制御を司るＣＰＵ５（通電制御手段）等によって構成されている。光ピックアップ４は、略矩形の形状とされ、光ディスクＤとの対向する面に光ディスクＤにレーザ光を集光させる対物レンズ６を有し、シャーシ７の上面側に互いに並行に配置された一対の摺動軸８によって、光ディスクＤの径方向Ａにスライド自在に支持される。
【００１３】
図２及び図３は、光ピックアップ４の光学系を示している。同光学系は、レーザ光Ｌ１を出射するレーザダイオード（発光素子）１１と、レーザダイオード１１から出射されたレーザ光Ｌ１をハーフミラー１３に向けて反射させるミラー１２と、ミラー１２によって反射されたレーザ光Ｌ２を反射光Ｌ３及び透過光Ｌ４に分光するハーフミラー１３と、ハーフミラー１３によって分光された反射光Ｌ３を光ディスクＤの記録面に集光させる対物レンズ６と、光ディスクＤの記録面によって反射され、対物レンズ６及びハーフミラー１３を透過した反射レーザ光Ｌ５を受光してデータを再生する再生系フォトダイオード（再生系受光素子）１５と、ハーフミラー１３によって分光された透過光Ｌ４を受光してレーザダイオード１１のパワーを検出するパワー検出系フォトダイオード（パワー検出系受光素子）１６と、レーザダイオード１１、ミラー１２、ハーフミラー１３、再生系フォトダイオード１５及びパワー検出系フォトダイオード１６を搭載する光ピックアップ基板１７等によって構成される。対物レンズ６は、フォーカシングコイル１８及びトラッキングコイル（図示せず）等を介して光ピックアップ４に懸架される。
【００１４】
再生系フォトダイオード１５は、反射レーザ光Ｌ５を受光し、この受光した反射レーザ光Ｌ５を光電変換することにより光ディスクＤに記録されているデータを電気信号として再生し、ＣＰＵ５に伝送する。また、再生系フォトダイオード１５が再生した電気信号に基づいて、フォーカシングコイル１８及びトラッキングコイルが駆動され、対物レンズ６がサーボ制御される。パワー検出系フォトダイオード１６は透過光Ｌ４を受光し、この受光した透過光Ｌ４を光電変換することによりレーザダイオード１１の発光パワーを電気信号として検出し、ＣＰＵ５に伝送する。ＣＰＵ５は、パワー検出系フォトダイオード１６から伝送された電気信号の強度レベルに基づいてレーザダイオード１１の発光パワーをフィードバック制御する。
【００１５】
ハーフミラー１３の互いに対向する端縁にはハーフミラー１３を加熱するためのミラー加熱用コイル（ミラー加熱用ヒータ）２０が、パワー検出系フォトダイオード１６の背面にはパワー検出系フォトダイオード１６を加熱するための受光素子加熱用コイル（受光素子加熱用ヒータ）２１が、それぞれ取り付けられている。ミラー加熱用コイル２０及び受光素子加熱用コイル２１は、ＣＰＵ５によって通電制御される。ＣＰＵ５は、レーザダイオード１１の発光前、ハーフミラー１３及びパワー検出系フォトダイオード１６の温度がレーザダイオード１１の発光に伴って上昇する温度付近まで高められる時間だけ、ミラー加熱用コイル２０及び受光素子加熱用コイル２１が通電されるように制御する。
【００１６】
上述のように構成された光ピックアップ４のデータ記録時における動作について、図４を参照して説明する。データの記録にあたって光ピックアップ４は、まず、ミラー加熱用コイル２０及び受光素子加熱用コイル２１に通電を開始する（＃１）。この通電開始後、ハーフミラー１３及びパワー検出系フォトダイオード１６の温度がレーザダイオード１１の発光中の温度付近まで上昇すると（＃２においてＹＥＳ）、各ヒータ２０，２１への通電を終了する（＃３）。そしてレーザダイオード１１の発光を開始して、データを光ディスクＤに記録する（＃４）。このとき、ハーフミラー１３を透過したレーザ光（透過光）Ｌ４をパワー検出系フォトダイオード１６によって検出し（＃５）、その検出されたレーザ光Ｌ４の強度レベルに基づいてレーザダイオード１１の発光パワーをフィードバック制御する（＃６）。このとき、レーザダイオード１１の発光によってハーフミラー１３及びパワー検出系フォトダイオード１６の温度は略一定に保たれる。上記＃４乃至＃６の処理は、光ディスクＤへのデータ記録が終了するまで（＃７においてＹＥＳ）、繰り返される。上記動作は、データ記録時のものであるが、同等の動作をデータ再生時に行うようにしてもよい。
【００１７】
上記のように動作する光ピックアップ４によれば、レーザダイオード１１の発光前にミラー加熱用コイル２０及び受光素子加熱用コイル２１によってハーフミラー１３及びパワー検出系フォトダイオード１６がレーザダイオード１１の発光中の温度付近まで予熱されるので、ハーフミラー１３及びパワー検出系フォトダイオード１６の温度変化が抑制される。これにより、ハーフミラー１３及びパワー検出系フォトダイオード１６の温度依存特性に起因して生じるレーザダイオード１１のパワー変動を抑制でき、パワー制御の誤差を小さくすることが可能となり、もって、光ディスクＤに記録するデータの特性を良好なものとすることができる。また、ミラー加熱用コイル２０及び受光素子加熱用コイル２１によるハーフミラー１３及びパワー検出系フォトダイオード１６の予熱はレーザダイオード１１の発光前になされるので、レーザダイオード１１の発光直後からレーザダイオード１１のパワーが適正にフィードバック制御され、直ちにデータの記録／再生を開始することができる。
【００１８】
なお、本発明は上記実施形態の構成に限られることなく種々の変形が可能であり、例えば、本実施形態においては、ミラー加熱用コイル２０及び受光素子加熱用コイル２１への通電をレーザダイオード１１の発光開始前に行うものを示したが、発光と同時的に行い、データ記録をその直後に行うようにしてもよい。請求項に記載の「発光開始前」とはこのような場合をも含む。また、光ピックアップ４は、ミラー加熱用コイル２０及び受光素子加熱用コイル２１を備えた構成であることが最も望ましいが、顕著な温度依存特性を有するハーフミラー１３にのみ加熱用コイル２０を備え、受光素子加熱用コイル２１を省略する構成としても構わない。さらにまた、請求項に記載のミラー加熱用ヒータ及び受光素子加熱用ヒータは、コイル状に限られることなく、例えばシート状のヒータを適用してもよい。
【００１９】
【発明の効果】
以上のように請求項１の発明によれば、発光素子の発光前にミラー加熱用ヒータ及び受光素子加熱用ヒータによってハーフミラー及びパワー検出系受光素子が発光中の温度付近まで予熱されるので、ハーフミラー及びパワー検出系受光素子の温度変化を抑制することができる。これにより、ハーフミラー及びパワー検出系受光素子の温度依存特性に起因して生じる発光素子のパワー制御の誤差を小さくして、レーザ光の制御を正確に行うことができる。また、ミラー加熱用ヒータ及び受光素子加熱用ヒータによるハーフミラー及びパワー検出系受光素子の予熱は発光素子の発光前になされ、発光直後から発光素子のパワーが適正にフィードバック制御されるので、直ちにデータの記録／再生を開始することができる。
【００２０】
請求項２の発明によれば、発光素子の発光前にミラー加熱用ヒータによってハーフミラーが発光中の温度付近まで予熱されるので、ハーフミラーの温度変化を抑制することができる。これにより、ハーフミラーの温度依存特性に起因して生じる発光素子のパワー制御の誤差を小さくして、レーザ光の制御を正確に行うことができる。
【００２１】
請求項３の発明によれば、ミラー加熱用ヒータによるハーフミラーの予熱は発光素子の発光前になされ、発光直後から発光素子のパワーが適正にフィードバック制御されるので、直ちにデータの記録／再生を開始することができる。
【図面の簡単な説明】
【図１】本発明の一実施形態による光ピックアップを備えた光ディスク装置の構成を示す斜視図。
【図２】同光ピックアップの光学系の構成を示す概略図。
【図３】同光ピックアップの光学系の配置を示す斜視図。
【図４】光ディスクにデータを記録するときの同光ピックアップの動作を示すフローチャート。
【符号の説明】
１    光ディスク装置
４    光ピックアップ
５    ＣＰＵ（通電制御手段）
１１    レーザダイオード（発光素子）
１３    ハーフミラー
１５    再生系フォトダイオード（再生系受光素子）
１６    パワー検出系フォトダイオード（パワー検出系受光素子）
２０    ミラー加熱用コイル（ミラー加熱用ヒータ）
２１    受光素子加熱用コイル（受光素子加熱用ヒータ）
【図１】
2004288334.tif 000003
【図２】
2004288334.tif 000004
【図３】
2004288334.tif 000005
【図４】
2004288334.tif 000006